【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
開放されている上端部と、閉塞されている底端部とを有する細長い本体と、
細長い本体に連結される第１の端部と複数の脚を収納し展開するための付勢力を複数の脚に与えるために複数の脚に取り付けられる第２の端部とを有する収納機構を含み、複数の脚のそれぞれは、収納機構によって複数の脚を展開位置と収納位置との間で位置決めするために、細長い本体に旋回自在に取り付けられた一端を有する伸張可能なバッグスタンドと、
細長い本体の第１の部分に取り付けられる第１の端部と、細長い本体の第２の部分に取り付けられる第２の端部とを有するバイアス部と、バイアス部に係合する第１の端部と、収納機構に係合するように構成される第２の端部とを有する保持ストラップとを含み、保持ストラップは、保持ストラップが複数の脚を実質的に収納位置に配置し、かつ、維持するように、バイアス部に負荷される外力に応答して、収納機構を収納するように構成される、保持システムと、を備える、ゴルフバッグ。
【請求項２】
保持ストラップの第１の端部は、実質的に垂直な向きで、バイアス部に係合している、請求項１に記載のゴルフバッグ。
【請求項３】
保持ストラップの第２の端部は、収納機構に巻かれている、請求項２に記載のゴルフバッグ。
【請求項４】
保持ストラップの第１の端部は、バイアス部と一体である、請求項１に記載のゴルフバッグ。
【請求項５】
保持ストラップの第１の端部は、バイアス部に縫い付けられている、請求項１に記載のゴルフバッグ。
【請求項６】
細長い本体中に画定されるチャネル部をさらに備え、保持ストラップは、チャネル部に受容されるように構成されている、請求項１から５のいずれか一項に記載のゴルフバッグ。
【請求項７】
チャネル部は、バイアス部に負荷される外力の方向に実質的に平行な第１の軸線を画定し、バイアス部に負荷される外力によって保持ストラップを実質的に第１の軸線に沿って移動させる、請求項６に記載のゴルフバッグ。
【請求項８】
保持ストラップの一部は、チャネル部に受容されるように構成されており、バイアス部に外力を負荷することによって、保持ストラップは、収納機構を収納し、複数の脚を収納位置に折り畳む、請求項６又は７に記載のゴルフバッグ。
【請求項９】
外力がバイアス部に負荷されると、保持ストラップは、複数の脚を収納位置に維持する、請求項１から８のいずれか一項に記載のゴルフバッグ。
【請求項１０】
外力によって、保持ストラップは、収納機構を収納し、複数の脚を収納位置に収納するように、保持ストラップは、細長い本体に対してスライドする、請求項１から９のいずれか一項に記載のゴルフバッグ。
【請求項１１】
保持ストラップは、バンド、ストラップ、コード又はロープの少なくとも１つを含む、請求項１から１０のいずれか一項に記載のゴルフバッグ。
【請求項１２】
開放されている上端部と、閉塞されている底端部とを有する細長い本体と、
細長い本体に連結される第１の端部と、複数の脚を収納し展開するための付勢力を複数の脚に与えるために複数の脚に取り付けられる第２の端部とを有する収納機構を含み、複数の脚のそれぞれは、収納機構によって複数の脚を展開位置と収納位置との間で位置決めするために、細長い本体に旋回自在に取り付けられる一端を有する伸張可能なバッグスタンドと、
保持システムであって、
細長い本体の第１の部分に取り付けられる第１の端部と、細長い本体の第２の部分に取り付けられる第２の端部とを有するバイアス部と、
細長い本体の第３の部分に取り付けられる第１の端部と、細長い本体の第４の部分に取り付けられる第２の端部とを有するストラップ部と、
バイアス部に係合する第１の端部と、収納機構に係合するように構成される第２の端部とを有する保持ストラップであって、保持ストラップは、複数の脚を実質的に収納位置に配置し、かつ、維持するように、バイアス部に負荷される外力に応答して、収納機構を収納するように構成される保持ストラップと、
を含む、保持システムと、
を含む、ゴルフバッグ。
【請求項１３】
細長い本体によって画定されるチャネル部をさらに備え、保持ストラップは、チャネル部に受容されるように構成される、請求項１２に記載のゴルフバッグ。
【請求項１４】
収納機構は、保持ストラップの第２の端部に係合するバネワイヤを備える、請求項１２又は１３に記載のゴルフバッグ。
【請求項１５】
保持ストラップの第２の端部は、バネワイヤに巻かれるように構成される環状の構成を画定する、請求項１４に記載のゴルフバッグ。
【請求項１６】
保持ストラップの第１の端部は、実質的に垂直な配置でバイアス部に係合する、請求項１２から１５のいずれか一項に記載のゴルフバッグ。
【請求項１７】
開放されている上端部と、閉塞されている底端部とを有する細長い本体と、
細長い本体に連結される第１の端部と複数の脚を収納し展開するための付勢力を複数の脚に与えるために複数の脚に取り付けられる第２の端部とを有する収納機構を含むバッグスタンドであって、収納機構によって、収納機構が収納される場合、複数の脚のそれぞれは、複数の脚を展開位置と収納位置との間で位置決めするために、細長い本体に旋回自在に取り付けられる一端を有する伸張可能なバッグスタンドと、
収納機構に係合する保持ストラップに係合するバイアス部を含む保持システムと、を備えるゴルフバッグを提供するステップと、
複数の脚が地面において展開位置となるように、細長い本体を構成するステップと、
バイアス部を介して、保持ストラップに負荷される外力に応答して、収納機構が複数の脚を収納位置に収納することを可能にするステップと、
を含む、ゴルフバッグを製造する方法。
【請求項１８】
細長い本体に沿ってチャネル部を形成するステップをさらに備える、請求項１７に記載の方法。
【請求項１９】
保持ストラップの一部をチャネル部内に挿入するステップをさらに備える、請求項１８に記載の方法。
【請求項２０】
保持ストラップに係合するバイアス部を設けるステップは、バイアス部を保持ストラップに垂直な向きで係合するステップを含む、請求項１７から１９のいずれか一項に記載の方法。
【手続補正２】
【補正対象書類名】明細書
【補正対象項目名】００３６
【補正方法】変更
【補正の内容】
【００３６】
また、実施形態及び／又は限定が、（１）請求項で明示的に請求されていない、及び（２）均等論に基づいて、請求項中の明示的な要素及び／又は限定の等価物である、又は等価物である可能性があるものであれば、本明細書中に開示した実施形態及び限定は、公衆寄与論の下に公衆に寄与されるものではない。
以下に本明細書で開示される実施形態の特徴を列挙する。
（特徴１）
開放されている上端部と、閉塞されている底端部とを有する細長い本体と、
細長い本体に連結される第１の端部と、複数の脚に取り付けられる第２の端部と、を有する収納機構を含むバッグスタンドであって、複数の脚のそれぞれは、複数の脚を展開位置と収納位置との間において位置決めするために、細長い本体に旋回自在に取り付けられた一端を有する伸張可能なバッグスタンドと、
細長い本体の第１の部分に取り付けられる第１の端部と、細長い本体の第２の部分に取り付けられる第２の端部とを有するバイアス部と、バイアス部に係合する第１の端部と、収納機構に係合するように構成される第２の端部とを有する保持ストラップとを含み、保持ストラップは、保持ストラップが複数の脚を実質的に収納位置に配置し、かつ、維持するように、バイアス部に負荷される外力に応答して、収納機構を収納するように構成される、保持システムと、を備える、ゴルフバッグ。
（特徴２）
保持ストラップの第１の端部は、実質的に垂直な向きで、バイアス部に係合している、特徴１に記載のゴルフバッグ。
（特徴３）
保持ストラップの第２の端部は、収納機構に巻かれている、特徴２に記載のゴルフバッグ。
（特徴４）
保持ストラップの第１の端部は、バイアス部と一体である、特徴１に記載のゴルフバッグ。
（特徴５）
保持ストラップの第１の端部は、バイアス部に縫い付けられている、特徴１に記載のゴルフバッグ。
（特徴６）
細長い本体中に画定されるチャネル部をさらに備え、保持ストラップは、チャネル部に受容されるように構成されている、特徴１に記載のゴルフバッグ。
（特徴７）
チャネル部は、バイアス部に負荷される外力の方向に実質的に平行な第１の軸線を画定し、バイアス部に負荷される外力によって保持ストラップを実質的に第１の軸線に沿って移動させる、特徴６に記載のゴルフバッグ。
（特徴８）
保持ストラップの一部は、チャネル部に受容されるように構成されており、バイアス部に外力を負荷することによって、保持ストラップは、収納機構を収納し、複数の脚を収納位置に折り畳む、特徴１に記載のゴルフバッグ。
（特徴９）
外力がバイアス部に負荷されると、保持ストラップは、複数の脚を収納位置に維持する、特徴１に記載のゴルフバッグ。
（特徴１０）
外力によって、保持ストラップは、収納機構を収納し、複数の脚を収納位置に収納するように、保持ストラップは、細長い本体に対してスライドする、特徴１に記載のゴルフバッグ。
（特徴１１）
保持ストラップは、バンド、ストラップ、コード又はロープの少なくとも１つを含む、特徴１に記載のゴルフバッグ。
（特徴１２）
開放されている上端部と、閉塞されている底端部とを有する細長い本体と、
細長い本体に連結される第１の端部と、複数の脚に取り付けられる第２の端部とを有する収納機構を含み、複数の脚のそれぞれは、複数の脚を、展開位置と収納位置との間において位置決めするために、細長い本体に旋回自在に取り付けられる一端を有する伸張可能なバッグスタンドと、
保持システムであって、
細長い本体の第１の部分に取り付けられる第１の端部と、細長い本体の第２の部分に取り付けられる第２の端部とを有するバイアス部と、
細長い本体の第３の部分に取り付けられる第１の端部と、細長い本体の第４の部分に取り付けられる第２の端部とを有するストラップ部と、
バイアス部に係合する第１の端部と、収納機構に係合するように構成される第２の端部とを有する保持ストラップであって、保持ストラップは、複数の脚を実質的に収納位置に配置し、かつ、維持するように、バイアス部に負荷される外力に応答して、収納機構を収納するように構成される保持ストラップと、
を含む、保持システムと、
を含む、ゴルフバッグ。
（特徴１３）
細長い本体によって画定されるチャネル部をさらに備え、保持ストラップは、チャネル部に受容されるように構成される、特徴１２に記載のゴルフバッグ。
（特徴１４）
収納機構は、保持ストラップの第２の端部に係合するバネワイヤを備える、特徴１２に記載のゴルフバッグ。
（特徴１５）
保持ストラップの第２の端部は、バネワイヤに巻かれるように構成される環状の構成を画定する、特徴１４に記載のゴルフバッグ。
（特徴１６）
保持ストラップの第１の端部は、実質的に垂直な配置でバイアス部に係合する、特徴１２に記載のゴルフバッグ。
（特徴１７）
開放されている上端部と、閉塞されている底端部とを有する細長い本体と、
細長い本体に連結される第１の端部と、複数の脚に取り付けられる第２の端部とを有する収納機構を含むバッグスタンドであって、収納機構が収納される場合、複数の脚のそれぞれは、複数の脚を展開位置と収納位置との間において位置決めするために、細長い本体に旋回自在に取り付けられる一端を有する伸張可能なバッグスタンドと、
収納機構に係合する保持ストラップに係合するバイアス部を含む保持システムと、を備えるゴルフバッグを提供するステップと、
複数の脚が地面において展開位置となるように、細長い本体を構成するステップと、
バイアス部を介して、保持ストラップに負荷される外力に応答して、収納機構が複数の脚を収納位置に収納することを可能にするステップと、
を含む、ゴルフバッグを製造する方法。
（特徴１８）
細長い本体に沿ってチャネル部を形成するステップをさらに備える、特徴１７に記載の方法。
（特徴１９）
保持ストラップの一部をチャネル部内に挿入するステップをさらに備える、特徴１８に記載の方法。
（特徴２０）
保持ストラップに係合するバイアス部を設けるステップは、バイアス部を保持ストラップに垂直な向きで係合するステップを含む、特徴１８に記載の方法。